(57)【要約】【課題】  表示器に表示された情報に対し、携帯端末器の簡単な操作で情報提供者にアクセスできるようにする。【解決手段】  例えば、エレベーターのかご５内に表示器６を、乗場７に表示器８を設置する。情報提供者が情報入力装置１を操作すると、機械室２に設置された表示制御装置３，４を介して、店舗、催事等の情報及びその情報提供者を表す二次元コードが表示器６，８に表示される。この表示情報に興味を覚えた人が携帯端末器（図示しない）に付属するカメラで上記二次元コードを撮像すると、ホームページ、メール又は電話により情報提供者にアクセスすることができる。【選択図】      図１
2005208148.tif 000002
【特許請求の範囲】
【請求項１】
情報入力装置に登録された表示情報を表示制御装置を介して利用者の通行領域にある表示器に表示するシステムにおいて、上記表示器に一般情報を表示し、かつその内容に関する連絡先を符号化した二次元コードを表示する情報表示手段を上記表示制御装置又は上記情報入力装置に設けるとともに、上記表示された二次元コードを入力することによりこの二次元コードに含まれた上記連絡先に接続するアクセス手段を有する携帯端末器を備えたことを特徴とする情報表示システム。
【請求項２】
情報入力装置に登録された表示情報を表示制御装置を介して利用者の通行領域にある表示器に表示するシステムにおいて、上記表示制御装置に、上記登録された表示情報に関する連絡先を二次元コードに符号化する二次元コード符号化手段と、一般情報と上記二次元コードを含む画像を作成する表示イメージ作成手段とを備えたことを特徴とする情報表示システム。
【請求項３】
情報入力装置に登録された表示情報を表示制御装置を介して利用者の通行領域にある表示器に表示するシステムにおいて、上記情報入力装置に、上記登録された表示情報に関する連絡先を二次元コードに符号化する二次元コード符号化手段と、一般情報と上記二次元コードとを含む画像を作成して上記表示制御装置に登録する表示イメージ作成手段とを備えたことを特徴とする情報表示システム。
【請求項４】
二次元コードには、情報提供者のアドレス、メールアドレス及び電話番号のいずれかのコードが設定されているものとしたことを特徴とする請求項１〜請求項３のいずれかに記載の情報表示システム。
【請求項５】
表示器をエレベーターのかご内又は乗場に設置するものとしたことを特徴とする請求項１〜請求項４のいずれかに記載の情報表示システム。
【発明の詳細な説明】
【技術分野】
【０００１】
この発明は、情報入力装置に登録された表示情報を表示器に表示するシステムに関するものである。
【背景技術】
【０００２】
従来のエレベータシステムにおける広告配信方法においては、インターネットを介して広告主端末から送られてきた広告情報を登録できる広告配信サーバと、この広告配信サーバから取り出した広告情報をエレベータ利用者が通る動線領域に設置された表示装置に対して送出してこの表示装置に広告放映を行わせる広告放映サーバとをインターネット上に設置しておき、広告主端末から広告放映を行いたい旨の要求があったとき、その要求してきた広告主が登録されたユーザであるか否かにつき判別し、登録されたユーザであれば広告主が放映を希望する時刻および広告情報を前記広告配信サーバに登録し、
【０００３】
この登録された時刻に広告放映サーバが広告配信サーバから登録されている広告情報を取り出し、この取り出した広告情報を表示装置に対して広告放映を行い、広告情報の放映状況に応じて広告主に対し広告料についての課金を行い、さらに、エレベーター利用者の携帯電話を介して前記表示装置上の広告情報に関連する詳細広告情報の要求があったとき広告配信サーバから詳細情報を携帯電話に送信するように構成されている（例えば、特許文献１）。
【０００４】
【特許文献１】特開２００３―８５４４２号公報（段落０００９、図１）
【発明の開示】
【発明が解決しようとする課題】
【０００５】
上記のような従来のエレベータシステムにおける広告配信方法では、エレベーター側に利用者の要求を受信して広告配信サーバに利用者のメールアドレスなどの情報を送信するサーバを設置しなければならない。また、エレベーターの利用者は、エレベーター側のサーバに一度アクセスして自分のメールアドレスなどを送信し、後で広告配信サーバから送信されてくる情報を待つ必要があるという問題点がある。
【０００６】
この発明は、上記問題点を解消するためになされたもので、利用者側に携帯端末器と通信する機能を有するサーバを設置する必要もなく、また、携帯端末器から短時間かつ簡単な操作で情報提供者にアクセスできるようにした情報表示システムを提供することを目的とする。
【課題を解決するための手段】
【０００７】
この発明に係る情報表示システムでは、利用者の通行領域にある表示器に、一般情報を表示しかつその内容に関する連絡先を符号化した二次元コードを表示し、携帯端末器に上記表示された二次元コードを入力することにより、この、二次元コードに含まれた連絡先に接続されるようにしたものである。
【発明の効果】
【０００８】
この発明では、利用者の通行領域にある表示器に、一般情報を表示し、かつその内容に関する連絡先を符号化した二次元コードを表示し、携帯端末器に上記表示された二次元コードを入力することにより、この二次元コードに含まれた連絡先に接続するようにしたので、利用者は簡単な操作をするだけで、情報提供者に情報に関する問合わせをすることができる。
【発明を実施するための最良の形態】
【０００９】
実施の形態１．
図１〜図５は、この発明の第１、第４及び第５発明の一実施の形態を示す図で、図１は全体構成図、図２は携帯端末器のブロック線図、図３は二次元コードのイメージ図、図４は携帯端末器の動作フローチャート、図５は表示器による表示画面図であり、図中同一符号は同一部分を示す。
【００１０】
この実施の形態は、図１に示すように、広告主、イベントの主催者等の情報提供者が操作する情報入力装置１に、エレベーター機械室２に設けられた表示制御装置３，４が接続され、表示制御装置３にはエレベーターのかご５内に設置されたかご内表示器６が接続され、表示制御装置４にはエレベーターの乗場７に設置された乗場表示器８が接続されている。なお、表示制御装置３，４には、図示しないが、情報表示手段（後述する図６及び図７の表示情報解析手段３２，二次元コード符号化手段３３及び表示イメージ作成手段３４に相当。）が設けられている。
【００１１】
また、図２を示すように、携帯端末器９は通常に有する機能の外に、図３に示す二次元コードを入力する二次元コード入力手段１０と、この二次元コード入力手段１０に接続され、二次元コードを復号する二次元コード解析手段１１と、この復号されたデータに基づいてホームページにアクセスしたり、メールを送信したり、電話をかけたりするアクセス手段１２とを備えている。
【００１２】
図３は表示器６，８に表示される次の３種類の二次元コード１５Ａ〜１５Ｃを示す。なお、二次元コード１５Ａ〜１５Ｃは横一列にデータが並んでいるバーコード（一次元コード）に対し、面で情報を持つ自動認識コードであり、バーコードに比して格段に情報密度が高いことで知られており、例えば二次元コード１５Ａ，１５Ｂのように、情報をＵＲＬ（Ｕｎｉｆｏｒｍ  Ｒｅｓｏｕｒｃｅ  Ｌｏｃａｔｏｒ）記述様式でコード化することもできる。
（１）  １５Ａ：情報提供者のサーバーのホームページアドレスＨＰ
（２）  １５Ｂ：情報提供者のメールアドレス  ＭＡＩＬ
（３）  １５Ｃ：情報提供者の電話番号  ＣＡＬＬ
【００１３】
次に、この実施の形態の動作を説明する。
情報提供者が情報入力装置１を操作して、機械室２へ情報を送出すると、表示制御装置３，４の情報表示手段（前述）が動作して、表示器６，８に図５の表示画面１６Ａ〜１６Ｃに示すような一般情報と共に、その情報提供者を符号化した二次元コード１５Ａ〜１５Ｃが表示される。
次に、携帯端末器９の動作を図４を参照して説明する。
ステップＳ１でエレベーターの利用者は、表示器６，８に表示されている表示画面１６Ａ〜１６Ｃの内、表示画面１６Ａの内容について興味を覚えた場合は、表示画面１６Ａに表示されている二次元コード１５Ａを、二次元コード入力手段１０によって携帯端末器９に入力する。
【００１４】
二次元コード１５Ａ〜１５Ｃの入力手順は、例えば携帯端末器９に付属しているカメラなどで撮像して入力する。次にステップＳ２で二次元コード解析手段１１は二次元コード入力手段１０から送出された二次元コード１５Ａ〜１５Ｃを復号して解析し、復号した情報をアクセス手段１２へ送信する。ステップＳ３以降では、二次元コード解析手段１１から送信されたデータの種類に従って、情報提供者にアクセスする。
【００１５】
すなわち、ステップＳ３では送信されたデータの種類がサーバのホームページアドレスであるかを判定し、ホームページアドレスであればステップＳ４へ進み、ホームページアドレスを指定することにより、情報提供者のインターネットサーバ（Ｗｅｂサーバ）内に格納されているＨＴＭＬで記述された内容が、携帯端末器９側にダウンロードされ、表示部（図示しない）に内容が表示される。また、ステップＳ３でホームページアドレスでないと判定すると、ステップＳ５へ進み、データの種類がメールアドレスであるかを判定し、メールアドレスであればステップＳ６へ進み、情報提供者にメールを送信するためのメール作成画面に移行する。
【００１６】
また、ステップＳ５でメールアドレスでもないと判定すると、ステップＳ７へ進み、データの種類が電話番号であるかを判定し、ステップＳ８で情報提供者に対して電話を発信する。ステップＳ７で電話番号でないと判断すると処理を終了する。
このようにして、表示器６，８に表示された二次元コード１５Ａ〜１５Ｃを携帯端末器９に入力するだけで、エレベーター利用者は表示された情報に関して簡単に目的に応じた問合わせをすることが可能となる。
【００１７】
また、二次元コード１５Ａ〜１５Ｃには、情報提供者のホームページアドレス、メールアドレス及び電話番号のいずれかが設定されているため、二次元コード１５Ａ〜１５Ｃを携帯端末器９に入力することにより、自動的に情報を受信したり、電話をかけたりすることが可能となる。また、エレベーターシステムにおいて、特別なサーバ等を設置する必要をなくすことが可能となる。
【００１８】
実施の形態２．
図６はこの発明の第２発明の一実施の携帯を示す情報入力装置及び表示制御装置のブロック線図である。なお、図１〜図５は実施の形態２にも共用する。
この実施の形態は、表示制御装置３，４に、情報提供者の情報を二次元コード１５Ａ〜１５Ｃに符号化する機能を設け、表示する情報と二次元コード１５Ａ〜１５Ｃとを含む画面を作成する手段を設けたものである。
【００１９】
図において、修正表示情報２０が入力されている情報入力装置１は、表示情報修正手段２１、表示情報書込み手段２２、表示情報蓄積装置２３、表示情報読出し手段２４及び表示情報出力手段２５により構成されている。また、表示制御装置３は、表示情報受信手段３１、表示情報解析手段３２、二次元コード符号化手段３３、表示イメージ作成手段３４、表示イメージ書込み手段３５、表示イメージ蓄積装置３６、表示イメージ読出し手段３７及び表示イメージ出力手段３８により構成されている。なお、表示制御装置４及び表示器８についても同様に構成されている。
【００２０】
次に、この実施の形態の動作を説明する。
表示情報修正手段２１は修正表示情報２０が入力されると、表示情報読出し手段２４は表示情報蓄積装置２３に蓄積された表示情報の中から最新の情報を読み出して表示情報修正手段２１へ送出し、ここで修正表示情報２０に修正される。表示情報書込み手段２２は修正された表示情報を表示情報蓄積装置２３に書き込む。そして、表示情報読出し手段２４は表示情報蓄積装置２３から表示情報を読み出し、表示情報出力手段２５はこれを表示制御装置３へ送出する。
【００２１】
表示制御装置３の表示情報受信手段３１は、情報入力装置１から送出された表示情報を受信して、表示情報解析手段３２へ出力する。表示情報解析手段３２では、受信した表示情報を、単なる表示情報と、二次元コード１５Ａ〜１５Ｃに符号化すべき情報とに分離し、二次元コード１５Ａ〜１５Ｃに符号化すべき情報は二次元コード符号化手段３３へ、それ以外の情報は表示イメージ作成手段３４へ送出する。二次元コード符号化手段３３では、表示情報解析手段３２から受信した情報を二次元コード１５Ａ〜１５Ｃに符号化して、表示イメージ作成手段３４へ送出する。
【００２２】
表示イメージ作成手段３４は、表示情報解析手段３２から受信した情報と、二次元コード符号化手段３３から受信した二次元コード１５Ａ〜１５Ｃとを合成し、表示画面１６Ａ〜１６Ｃを作成する。表示イメージ書込み手段３５は上記作成された表示画面１６Ａ〜１６Ｃを表示イメージ蓄積装置３６に格納する。表示イメージ読出し手段３７は表示イメージ蓄積装置３６から表示画面１６Ａ〜１６Ｃを読み出し、表示イメージ出力手段３８は表示画面１６Ａ〜１６Ｃを表示器６が表示できる信号に変換して、表示器６へ送出する。
【００２３】
このようにして、表示制御装置３，４に二次元コードの符号化機能を持たせるようにしたため、情報入力装置１から一般情報とその情報提供者の情報を登録するだけでよくなり、だれでもこの情報提供システムの情報提供者になることが可能となる。
【００２４】
実施の形態３．
図７はこの発明の第３発明の一実施の形態を示す情報入力装置及び表示制御装置のブロック線図であり、図６と同一部分は同一符号で示す。なお、図１〜図５は実施の形態３にも共用する。
この実施の形態は、情報入力装置１に情報提供者の情報を二次元コード１５Ａ〜１５Ｃに符号化する機能を設け、表示する情報と二次元コード１５Ａ〜１５Ｃとを含む画面を作成する手段を設けたものである。
【００２５】
図において、情報入力装置１は、表示情報修正手段２１、表示情報書込み手段２２、表示情報蓄積装置２３、表示情報読出し手段２４、表示情報解析手段３２、二次元コード符号化手段３３、表示イメージ作成手段３４及び表示イメージ出力手段４１により構成されている。また、表示制御装置３は、表示イメージ受信手段４２、表示イメージ書込み手段３５、表示イメージ蓄積装置３６、表示イメージ読出し手段３７及び表示イメージ出力手段３８により構成されている。なお、表示制御装置４及び表示器８についても同様に構成されている。
【００２６】
次に、この実施の形態の動作を説明する。なお、実施の形態１と同様の部分は簡略に説明する。
各手段及び装置２１〜２４は実施の形態２と同様である。表示情報修正手段２１で修正された表示情報は、各手段３２〜３４により二次元コード１５Ａ〜１５Ｃを含む表示画面１６Ａ〜１６Ｃを作成し、表示イメージ出力手段４１を介して表示制御装置３へ送出する。
表示制御装置３の表示イメージ受信手段４２は、情報入力装置１から送出された表示画面１６Ａ〜１６Ｃを受信して、各手段３５〜３８により表示画面１６Ａ〜１６Ｃを蓄積するとともに、表示器６へ送信する。
【００２７】
このようにして、情報入力装置１に二次元コードの符号化機能を持たせるようにしたため、画像を表示する装置であれば、どのような装置に対してもこの情報提供システムを実現することが可能となる。
【図面の簡単な説明】
【００２８】
【図１】この発明の実施の形態１を示す全体構成図。
【図２】この発明の実施の形態１を示す携帯端末器のブロック図。
【図３】この発明の実施の形態１を示す二次元コードのイメージ図。
【図４】この発明の実施の形態１を示す携帯端末器の動作フローチャート。
【図５】この発明の実施の形態１を示す表示画面図。
【図６】この発明の実施の形態２を示す情報入力装置及び表示制御装置のブロック線図。
【図７】この発明の実施の形態３を示す情報入力装置及び表示制御装置のブロック線図。
【符号の説明】
【００２９】
１  情報入力装置、２  機械室、３，４  表示制御装置、５  エレベーターのかご、６  表示器、７  エレベーターの乗場、８  表示器、９  携帯端末器、１０  二次元コード入力手段、１１  二次元コード解析手段、１２  アクセス手段、１５Ａ〜１５Ｃ  二次元コード、１６Ａ〜１６Ｃ  表示画面、３２  表示情報解析手段、３３  二次元コード符号化手段、３４  表示イメージ作成手段。
【図１】
2005208148.tif 000003
【図２】
2005208148.tif 000004
【図３】
2005208148.tif 000005
【図４】
2005208148.tif 000006
【図５】
2005208148.tif 000007
【図６】
2005208148.tif 000008
【図７】
2005208148.tif 000009